(57)【要約】【課題】操作性をさらに向上でき、使い勝手をより一層高める。【解決手段】第１データを記憶する記憶手段２０と、記憶手段２０に記憶した第１データから、特定のデータを抽出する抽出手段２２と、第１データを表示する第１表示手段１と、第１表示手段１に第１データを表示させ、抽出手段２２により、第１データから特定のデータを抽出し、第２表示手段５に表示可能とする表示制御手段２２とを備えた構成とする。【選択図】図１
2008117158.tif 000002
【特許請求の範囲】
【請求項１】
第１データを記憶する第１記憶手段と、
前記第１記憶手段に記憶した第１データから、特定のデータを抽出する第１抽出手段と、
前記第１データを表示する第１表示手段と、
前記特定のデータを表示する第２表示手段と、
前記第１表示手段に前記第１データを表示させ、前記第１抽出手段により、前記第１データから特定のデータを抽出し、前記第２表示手段に表示させる表示制御手段と、
を備えたことを特徴とする電子機器。
【請求項２】
辞書データを記憶する第１記憶手段と、
前記記憶手段に記憶した辞書データから、特定の辞書データの種類名情報を抽出する第１抽出手段と、
前記第１記憶手段に記憶した辞書データの種類名を表示する第１表示手段と、
前記特定の辞書データの種類名を表示する第２表示手段と、
前記第１表示手段に前記辞書データの種類名を表示させ、前記第１抽出手段により、前記辞書データから特定の辞書データの種類名情報を抽出し、前記第２表示手段に抽出した辞書データの種類名を表示させる表示制御手段と、
を備えたことを特徴とする電子辞書装置。
【請求項３】
電源をオン・オフするためのスイッチ手段と、
前記スイッチ手段により電源をオフする際、前記第１表示手段に表示された辞書データを記憶する第２記憶手段と、
をさらに備え、
前記表示制御手段は、前記スイッチ手段により、次に電源をオンする際、前記第２記憶手段に記憶した辞書データに基づいて、前記第２表示手段に特定の辞書データの種類名を表示させることを特徴とする請求項２に記載の電子辞書装置。
【請求項４】
前記第１記憶手段に記憶した複数の辞書データから特定の辞書データの種類名情報を抽出する第２抽出手段と、
前記第２抽出手段によって抽出された辞書データの種類名情報をグループ化してテーブルを作成するテーブル作成手段と、
をさらに備え、
前記第１抽出手段は、前記テーブル作成手段によって作成されたテーブルから、さらに特定の辞書データの種類名情報を抽出し、
前記表示制御手段は、前記第１抽出手段によって抽出された特定の辞書データの種類名情報に基づいて、辞書データ選択画面として、前記第２表示手段に抽出した辞書データの種類名を表示させることを特徴とする請求項３に記載の電子辞書装置。
【請求項５】
前記第２表示手段は、タッチパネルで構成したことを特徴とする請求項２乃至４のいずれか１項に記載の電子辞書装置。
【請求項６】
前記第２抽出手段によって特定の辞書データが抽出され、前記表示制御手段によって抽出された辞書データの種類名情報に基づいて、辞書検索入力画面として、前記第１表示手段に抽出した辞書データの種類名が表示された場合、
前記表示制御手段は、前記第２表示手段に、手書き入力画面を表示させることを特徴とする請求項４又は５に記載の電子辞書装置。
【請求項７】
前記表示制御手段は、前記第２表示手段で、辞書データが選択された場合、第１表示手段に、辞書検索入力画面を表示させ、第２表示手段の表示を、前記辞書選択画面から手書き入力画面に変更すると共に、前記手書き入力画面での入力モードを、選択された辞書に応じた入力モードに自動変更させることを特徴とする請求項４乃至６のいずれか１項に記載の電子辞書装置。
【請求項８】
前記表示制御手段は、前記第１表示手段での表示を、検索文字が入力されることにより、検索結果画面から説明文表示画面に変更し、前記第２表示手段での表示を、手書き入力画面から、移行先選択画面に変更することを特徴とする請求項２に記載の電子辞書装置。
【請求項９】
前記第２表示手段に表示される移行先選択画面は、リスト表示部を備え、
前記表示制御手段は、前記移行先選択画面でリスト表示部が選択されることにより、前記第２表示手段での表示を、辞書選択画面に変更することを特徴とする請求項２に記載の電子辞書装置。
【請求項１０】
第１表示手段に、第１記憶手段に記憶させた第１データを表示させ、
前記第１記憶手段に記憶した第１データから、特定のデータを抽出し、
第２表示手段に、抽出した特定のデータを表示させることを特徴とする２画面表示制御方法。
【発明の詳細な説明】
【技術分野】
【０００１】
本発明は、２画面を備えた電子機器、特に、２画面を備えた電子辞書装置、及び、２画面での表示制御方法に関するものである。
【背景技術】
【０００２】
従来、電子機器として、ユーザの使い勝手を良くし、操作性を向上させることを目的として、辞書メニューとは別に、これら複数の辞書の中から、ユーザが任意に必要な辞書を選択して登録しておくことを可能とした電子辞書装置が公知である（例えば、特許文献１参照）。
【０００３】
【特許文献１】特開２００５−３８２１３号公報
【発明の開示】
【発明が解決しようとする課題】
【０００４】
しかしながら、前記従来の電子機器では、Ｍｙ辞書で登録した辞書を選択するために、キー操作で、Ｍｙ辞書メニュー画面を立ち上げなければならない。
【０００５】
そこで、本発明は、操作性をさらに向上でき、使い勝手をより一層高めることのできる電子機器、電子辞書装置、及び、２画面表示制御方法を提供することを課題とする。
【課題を解決するための手段】
【０００６】
本発明は、前記課題を解決するための手段として、
電子機器を、
第１データを記憶する第１記憶手段と、
前記第１記憶手段に記憶した第１データから、特定のデータを抽出する第１抽出手段と、
前記第１データを表示する第１表示手段と、
前記特定のデータを表示する第２表示手段と、
前記第１表示手段に前記第１データを表示させ、前記第１抽出手段により、前記第１データから特定のデータを抽出し、前記第２表示手段に表示させる表示制御手段と、
を備えた構成としたものである。
【０００７】
この構成により、第２表示手段に表示させるデータを記憶手段に記憶させておくことなく、抽出手段により抽出したデータとすることができるので、記憶容量を抑制しつつ、表示内容を常に安定したものとすることが可能となる。
【０００８】
なお、電子機器を、
第１データ、及び、前記第１データに関連付けされた第２データを記憶する記憶手段と、
前記第１データを表示する第１表示手段と、
前記第２データを表示する第２表示手段と、
前記第１表示手段に前記第１データを表示させる場合、前記記憶手段から、前記第１表示手段に表示させた第１データに関連付けした第２データを読み込み、前記第２表示手段に表示させる表示制御手段と、
を備えた構成としてもよい。
【０００９】
この構成により、第１表示手段に第１データを表示させると、表示制御手段により、自動的に第２表示手段に、第１データに関連する第２データを表示させることができる。したがって、例えば、第１表示手段に表示された第１データから、次に必要される操作内容を第２データとして第１データに関連付けておき、第２表示手段に表示させるようにすれば、ユーザは第２表示手段での表示内容に従ってスムーズに次の処理を実行することができる。
【００１０】
また、電源をオン・オフするためのスイッチ手段と、
前記スイッチ手段により電源をオフする際、前記第１表示手段に表示された第１データを記憶する第２記憶手段と、
をさらに備え、
前記表示制御手段は、前記スイッチ手段により、次に電源をオンする際、前記第２記憶手段に記憶した第１データに基づいて、前記記憶手段に記憶した、前記第１データに関連付けた第２データを、前記第２表示手段に表示させるようにしてもよい。
【００１１】
この構成により、スイッチ手段で電源をオンすると、前回電源をオフした際に第１表示手段に表示された第１データと、この第１データに関連付けされた第２データとが、第１表示手段と第２表示手段とにそれぞれ自動表示される。第１表示データに基づいて、第２表示手段に表示される第２データが決定されるので、第１表示手段と第２表示手段との表示を、常に、マッチングした適切な内容とすることができる。
【００１２】
また、本発明は、前記課題を解決するための手段として、
辞書データを記憶する第１記憶手段と、
前記記憶手段に記憶した辞書データから、特定の辞書データの種類名情報を抽出する第１抽出手段と、
前記第１記憶手段に記憶した辞書データの種類名を表示する第１表示手段と、
前記特定の辞書データの種類名を表示する第２表示手段と、
前記第１表示手段に前記辞書データの種類名を表示させ、前記第１抽出手段により、前記辞書データから特定の辞書データの種類名情報を抽出し、前記第２表示手段に抽出した辞書データの種類名を表示させる表示制御手段と、
を備えた構成としたものである。
【００１３】
ここに、辞書データの種類名情報とは、辞書を特定するために、辞書毎に割り当てた固有のコード番号や、辞書名そのものが含まれる。要は、辞書を特定可能な情報であればよい。また、辞書の種類名には、国語辞典、漢和辞典等の辞書名そのもののほか、略語（国語辞典であれば「国」、漢和辞典であれば「漢」等）、アイコン等、ユーザがいずれの辞書であるのかを特定可能なものが含まれる。
【００１４】
この構成により、第２表示手段に表示させる辞書データの種類名を記憶させておく必要がなく、第１抽出手段によって抽出した辞書データの種類名情報に基づいて表示することができるので、記憶容量を抑制しつつ、表示内容を一元管理した安定したものとすることができ、使い勝手を向上させることが可能となる。
【００１５】
なお、電子辞書装置を、
辞書データ、及び、前記辞書データに関連付けされた関連データを記憶する第１記憶手段と、
前記辞書データを表示する第１表示手段と、
前記関連データを表示する第２表示手段と、
前記第１表示手段に前記辞書データを表示させる場合、前記記憶手段から、前記第１表示手段に表示させた辞書データに関連付けした関連データを読み込み、前記第２表示手段に表示させる表示制御手段と、
を備えた構成としてもよい。
【００１６】
この構成により、第１表示手段に辞書データを表示させると、表示制御手段により、自動的に第２表示手段に、辞書データに関連する関連データを表示させることができる。したがって、例えば、第１表示手段に表示された辞書データから、次に必要される操作内容を関連データとして辞書データに関連付けておき、第２表示手段に表示させるようにすれば、ユーザは第２表示手段での表示内容に従ってスムーズに次の処理を実行することができる。
【００１７】
電源をオン・オフするためのスイッチ手段と、
前記スイッチ手段により電源をオフする際、前記第１表示手段に表示された辞書データを記憶する第２記憶手段と、
をさらに備え、
前記表示制御手段は、前記スイッチ手段により、次に電源をオンする際、前記第２記憶手段に記憶した辞書データに基づいて、前記記憶手段に記憶した、前記辞書データに関連付けた関連データを、前記第２表示手段に表示させるのが好ましい。
【００１８】
この構成により、スイッチ手段で電源をオンすると、前回電源をオフした際に第１表示手段に表示された辞書データが第１表示手段に自動表示され、この辞書データに関連付けされた関連データが第２表示手段に自動表示される。つまり、辞書データに基づいて、第２表示手段に表示される関連データが決定されるので、第１表示手段と第２表示手段の表示内容を、常に、マッチングした適切な内容とすることができる。
【００１９】
前記第１記憶手段に記憶した複数の辞書データから特定の辞書データの種類名情報を抽出する第２抽出手段と、
前記第２抽出手段によって抽出された辞書データの種類名情報をグループ化してテーブルを作成するテーブル作成手段と、
をさらに備え、
前記第１抽出手段は、前記テーブル作成手段によって作成されたテーブルから、さらに特定の辞書データの種類名情報を抽出し、
前記表示制御手段は、前記第１抽出手段によって抽出された特定の辞書データの種類名情報に基づいて、辞書データ選択画面として、前記第２表示手段に抽出した辞書データの種類名を表示させるのが好ましい。
【００２０】
この構成により、ユーザの使い勝手に応じて特定の辞書データの種類名情報を抽出しておくことができるだけでなく、さらに抽出した辞書データの種類名情報に基づいて、特定の辞書データの種類名のみを第２表示手段に表示させることができる。したがって、ユーザにとってより一層使い勝手のよい構成とすることが可能となる。
【００２１】
前記第２表示手段は、タッチパネルで構成するのが好ましい。
【００２２】
前記第２抽出手段によって特定の辞書データが抽出され、前記表示制御手段によって抽出された辞書データの種類名情報に基づいて、辞書検索入力画面として、前記第１表示手段に抽出した辞書データの種類名が表示された場合、
前記表示制御手段は、前記第２表示手段に、手書き入力画面を表示させるのが好ましい。
【００２３】
この構成により、従来、キー操作に頼っていた入力作業を手書きで行うことができるので、キー操作に慣れていない人にとっても非常に入力しやすくなる。しかも、第２表示手段で手書き入力できるので、第１表示手段に表示された内容を確認しながらの入力作業が可能となり、非常に使い勝手がよい。
【００２４】
前記表示制御手段は、前記第２表示手段で、辞書データが選択された場合、第１表示手段に、辞書検索入力画面を表示させ、第２表示手段の表示を、前記辞書選択画面から手書き入力画面に変更すると共に、前記手書き入力画面での入力モードを、選択された辞書に応じた入力モードに自動変更させるのが好ましい。
【００２５】
この構成により、選択した辞書に応じて手書き入力での入力モードが自動的に設定されるので、手書きされた文字の認識精度を高めることが可能となる。
【００２６】
前記表示制御手段は、前記第２表示手段の手書き入力画面に、自動変更された入力モードを示す入力モード表示部を表示させるのが好ましい。
【００２７】
前記表示制御手段は、前記第１表示手段での表示を、検索文字が入力されることにより、検索結果画面から説明文表示画面に変更し、前記第２表示手段での表示を、手書き入力画面から、移行先選択画面に変更するようにすればよい。
【００２８】
前記第２表示手段に表示される移行先選択画面は、リスト表示部を備え、
前記表示制御手段は、前記移行先選択画面でリスト表示部が選択されることにより、前記第２表示手段での表示を、辞書選択画面に変更するようにすればよい。
【００２９】
さらに、本発明は、前記課題を解決するための手段として、
２画面表示制御方法を、
第１表示手段に、第１記憶手段に記憶させた第１データを表示させ、
前記第１記憶手段に記憶した第１データから、特定のデータを抽出し、
第２表示手段に、抽出した特定のデータを表示させるものである。
【００３０】
なお、第１表示手段に、第１記憶手段に記憶させた辞書データを表示させ、
第２表示手段に、前記第１表示手段に表示させた辞書データに関連付けて前記第１記憶手段に記憶させた関連データを表示させ、
電源をオフする際、前記第１表示手段に表示した辞書データを、第２記憶手段に記憶させ、
前記電源をオンする際、前記第２記憶手段に記憶させた辞書データに基づいて、前記第２表示手段に、前記第１記憶手段に記憶させた関連データを表示させるようにしてもよい。
【００３１】
また、前記第１記憶手段に記憶した複数の辞書データから特定の辞書データを抽出し、
抽出した辞書データをグループ化してテーブルを作成し、
作成したテーブルから、さらに特定の辞書データを抽出し、
さらに抽出した特定の辞書データを、辞書選択画面として、前記第２表示手段に表示させるようにしてもよい。
【発明の効果】
【００３２】
本発明によれば、第２表示手段に表示させる第２データは、第１表示手段に表示した第１データより抽出されたデータを表示させるようにしているので、電子機器の用途に応じた操作性に優れた構成とでき、非常に使い勝手のよい表示内容とすることが可能となる。
【発明を実施するための最良の形態】
【００３３】
以下、本発明の実施形態について、添付図面を参照しつつ説明する。
【００３４】
（構成）
図１は、本発明に係る電子機器の一例である電子辞書装置を示す。この電子辞書装置は、大略、第１表示手段である第１液晶パネル１を備えた蓋体２と、電源スイッチ３、各種キー４、第２表示手段である第２液晶パネル５、及び、制御ユニット６（図２参照）を備えた本体７とで構成されている。蓋体２は本体７に対してヒンジ結合され、開閉可能となっている。
【００３５】
第１液晶パネル１には、図８及び図９に示すように、辞書メニュー画面８、辞書検索入力画面９、候補リスト画面１０、説明文表示画面１１等が表示される。辞書メニュー画面８には、国語系辞書、英語系辞書、Ｍｙ辞書等の各種辞書グループのメニューが一覧表示される。いずれかの辞書グループを選択すると、その辞書グループに含まれる各種辞書が一覧表示される。例えば、図８（ａ）に示すように、国語系辞書を選択すると、国語辞典、漢和辞典、類語辞典等が一覧表示される。国語系辞書等の辞書グループは予め決められたもののみで構成されているが、Ｍｙ辞書グループは、ユーザの好みで、いずれの辞書グループからでも任意に選択して登録しておくことができる。辞書検索入力画面９には、文字入力欄が表示される。候補リスト画面１０には、辞書検索入力画面９の文字入力欄に入力された文字を含む見出し語が一覧表示される（前方一致、完全一致、後方一致等、検索の方式を選択できる場合、その検索方式によって表示形式は相違する。）。説明文表示画面１１には、候補リスト画面１０で選択された見出し語に対する説明文が表示される。なお、第１液晶パネル１をタッチパネルで構成し、直接、タッチ操作することにより辞書の選択等ができるようにしてもよい。
【００３６】
各種キー４には、図１に示すように、ファンクションキー４ａ、文字キー４ｂ、カーソルキー４ｃ、検索・決定キー４ｄ等が含まれる。ファンクションキー４ａには、使用頻度が高いと思われる辞書を直接起動するための辞書キー４ｅが含まれる。辞書キー４ｅには、例えば、国語辞書を起動するための「国語」キー、英和辞書を起動するための「英和」キー等が含まれる。また、その他のファンクションキー４ａとして、辞書メニュー画面８を表示させるためのメニューキー４ｆが含まれる。さらに、見出語リストの前後を選択するための「前見出」・「後見出」キーと、前の画面などに戻る「戻る」キーと、表示画面を切り替えるためのタブ設定内容の項目を切り替える「切替」キー（図示なし）が含まれる。
【００３７】
第２液晶パネル５は、図１に示すように、表示操作部１２と、操作部１３とからなるタッチパネルで構成されている。表示操作部１２には、図８及び図９に示すように、辞書選択画面１４、手書き入力画面１５、移行先選択画面１６等が表示され、ペン等による入力作業が可能となっている。操作部１３は、表面に手書き入力画面１５が表示された場合にのみ操作可能な各操作内容が印刷されている。具体的に、操作部１３は、「認識」、「書き直し」、「候補拡大」で構成されている。辞書選択画面１４には、後述するようにしてＭｙ辞書グループから自動的に抽出された辞書の名称が一覧表示される。手書き入力画面１５には、ペン等で手書き入力するための手書き入力欄１７と、この手書き入力欄１７に入力される文字の種類を示す入力モード表示部１８とが表示される。この手書き入力画面１５でのみ、操作部１３でのタッチ操作が可能となる。入力モード表示部１８は、「漢字」、「仮名」、「英字」、「数字」からなり、そのうちの該当するものがハイライト表示される。移行先選択画面１６には、今、第１液晶パネル１に表示された内容から、次に行うことが予想される処理の候補が表示される。具体的には、「新しく調べる」、「他の辞書で調べる」、「リストを表示する」の各ボタン１９ａ、１９ｂ、１９ｃである。
【００３８】
制御ユニット６は、図２に示すように、ＲＯＭ２０（Read Only Memory）、ＲＡＭ２１（Random Access Memory）、ＣＰＵ２２（Central Processing Unit）等を備える。ＣＰＵ２２は、本発明に係る第１抽出手段、第２抽出手段、表示制御手段を構成する。
【００３９】
ＲＯＭ２０には、制御プログラム２３、各種辞書データ２４、レイアウトデータ２５等が格納されている。制御プログラム２３は、後述する第１表示制御、第２表示制御等の各処理に関するプログラムが該当する。辞書データ２４には、国語辞典、英和辞典等の各種辞書の内容を電子データ化したものが格納されている。レイアウトデータ２５には、各表示画面のレイアウトと、このレイアウト中のいずれの位置に、キー４等で入力されたデータあるいは辞書データ２４から呼び出したデータを表示させるのかを示す座標データとが記憶されている。ＲＡＭ２１には、Ｍｙ辞書テーブルや、電源をオフする際の第１液晶パネル１の表示内容（終了時画面情報）等、書換を必要とされる各種データが格納される。ＣＰＵ２２は、後述するように、各種キーやタッチパネルからの入力に基づいて、ＲＯＭ２０に格納した制御プログラム２３を実行し、ＲＡＭ２１にデータを記憶させたり、第１液晶パネル１及び第２液晶パネル５への表示制御を実行したりする。
【００４０】
（動作）
次に、前記構成からなる電子辞書装置の動作について、図３乃至図７のフローチャートに従って説明する。
【００４１】
図３に示すように、電子辞書装置が起動されると（ステップＳ１）、まず、Ｍｙ辞書グループの設定がされているか否かを判断する（ステップＳ２）。Ｍｙ辞書グループの設定がされていなければ、従来公知の処理（例えば、特開２００５−３８２１３号公報）によりＭｙ辞書グループの設定画面（図示せず）が開くので、ユーザは設定画面での表示内容に従って順次入力すればよい。登録されたＭｙ辞書グループは、Ｍｙ辞書テーブルに格納され、１のグループを構成する。但し、電子辞書装置の出荷時に、予め頻繁に使うことが予想される辞書の名称を登録しておくことも可能である。また、後にＭｙ辞書グループの設定内容を変更することも可能である。
【００４２】
（第１表示制御）
Ｍｙ辞書グループの設定が完了していれば（又は設定が完了すれば）、起動がいずれの操作で行われたかを判断し（ステップＳ３）、第１表示制御を実行する。
【００４３】
第１表示制御では、電子辞書装置を起動させるための操作が、電源スイッチ３でなされた場合、後述するようにしてＲＡＭ２１に記憶させた終了時画面情報を読み込む（ステップＳ４）。終了時画面情報は、電子辞書装置を終了（電源オフ）させた際の第１液晶パネル１での表示内容が該当する。電源オフ時の第１液晶パネル１での表示内容は、主に、前述の３つのパターン（画面）である。すなわち、辞書メニュー画面８（図８（ａ）上段画面参照）、辞書検索入力画面９（図８（ｂ）上段画面参照）、説明文表示画面１１（図８（ｃ）上段画面参照）のいずれかが該当する。そこで、ＲＡＭ２１に記憶した終了時画面情報に基づいて、第１液晶パネル１に前記いずれかの画面を表示させる（ステップＳ５）。
【００４４】
また、電子辞書装置を起動させるための操作が、メニューキー４ｆの操作によってなされた場合、第１液晶パネル１に辞書メニュー画面８を表示する（ステップＳ６）。
【００４５】
さらに、電子辞書装置を起動させるための操作が、辞書キー４ｅの操作によってなされた場合、第１液晶パネル１には、操作された辞書キー４ｅに対応する辞書検索入力画面９が表示される（ステップＳ７）。
【００４６】
（第２表示制御）
図４に示すように、第１液晶パネル１に所定画面を表示させる第１表示制御と共に、この表示内容に連動して第２液晶パネル５に所定画面を表示させる第２表示制御を実行する。
【００４７】
第２表示制御では、第１液晶パネル１に表示させる画面の種類に応じて次の処理を実行する（ステップＳ８）。
【００４８】
すなわち、第１液晶パネル１への表示が辞書メニュー画面８である場合、第２液晶パネル５には、Ｍｙ辞書グループで登録した辞書のうち、１番から５番までに登録した辞書の名称を自動表示させる辞書選択画面１４を表示する（ステップＳ９：図８（ａ）下段画面参照）。Ｍｙ辞書グループには、通常、ユーザにとって使用頻度の高い辞書が順番に登録されるので、その登録データ（Ｍｙ辞書テーブル）を参照し、さらにその中で上位５つ（登録されている辞書データ２４が５よりも少なければ、その数）だけ抽出し、第２液晶パネル５に辞書データの種類の名称を自動表示させる。このように、１つのデータテーブル（Ｍｙ辞書テーブル）を参照して第２液晶パネル５に自動表示させているので、第２液晶パネル５に表示される辞書データの種類の名称は、必ず、第１液晶パネル１に表示させたＭｙ辞書グループの上位の対応するものと名称及び順番が合致し、相違することはない。
【００４９】
また、第１液晶パネル１への表示が辞書検索入力画面９である場合、第２液晶パネル５には、手書き入力画面１５を自動表示させる（ステップＳ１０：図８（ｂ）下段画面参照）。手書き入力画面１５には、開いた辞書の種類に応じて入力モードが自動選択され、該当するモードを示す入力モード表示部１８が表示される。例えば、国語系辞書のいずれかが選択されている場合、手書き入力画面１５での入力モードが漢字及び仮名となり、入力モード表示部１８には「漢字」、「仮名」がハイライト表示される。つまり、「英字」、「数字」は認識の対象外となるので、「漢字」、「仮名」の認識精度を高めることが可能となる。
【００５０】
さらに、第１液晶パネル１への表示が説明文表示画面１１である場合、第２液晶パネル５には、移行先選択画面１６を自動表示させる（ステップＳ１１：図８（ｃ）下段画面参照）。移行先選択画面１６には、「新しく調べる」、「他の辞書で調べる」、「リストを表示する」の各ボタン１９が表示される。
【００５１】
さらにまた、第１液晶パネル１への表示が候補リスト画面１０である場合、第２液晶パネル５には、前記ステップＳ９と同様に、辞書選択画面１４を自動表示させる（ステップＳ１２）。ユーザは、候補リスト画面１０に表示されたリストから該当するものを選択すればよいし、該当するものがなければ、他の辞書に切り替えることも可能である。
【００５２】
（検索処理）
このように、第１液晶パネル１に表示された画面に対し、第２液晶パネル５に、これと関連する所定画面が表示されれば、その後、次のようにして必要な画面に切り替え、検索処理を実行すればよい。
【００５３】
すなわち、第１液晶パネル１に辞書メニュー画面８が表示され、第２液晶パネル５に辞書選択画面１４が表示された状態であれば（ステップＳ９）、辞書選択画面１４でいずれかのボタン１９が操作されて所望の辞書が選択されることにより（ステップＳ１３）、第１液晶パネル１の表示を選択した辞書に関する辞書検索入力画面９に切り替える（ステップＳ１４）。また、この切替と同時に、第２液晶パネル５の表示を手書き入力画面１５に切り替える（ステップＳ１５）。
【００５４】
また、第１液晶パネル１に辞書検索入力画面９が表示され、第２液晶パネル５に手書き入力画面１５が表示された状態であれば（ステップＳ１０）、ペン等による入力に対して手書き入力処理を実行する（ステップＳ１６）。
【００５５】
すなわち、ユーザがペン等により手書き入力画面１５に調べようとする文字が記入されると、その文字が認識され、該当すると予測される文字候補が、手書き入力画面１５の一部に一覧表示する。一覧表示する文字が画面内に表示しきれない場合、送りボタン１９を表示させ、この送りボタン１９を操作することにより表示文字を変更できるようにすればよい。また、一覧表示する文字が小さくて読み取りが困難であれば、「候補拡大」ボタンがタッチ操作されることにより拡大表示させることができる。また、候補リストに該当する文字がない場合、「書き直し」ボタンがタッチ操作されることにより、手書き入力画面１５をクリアして、再度、一から手書き入力可能な状態とすることができる。なお、ここでは、手書き入力画面１５での文字入力について説明したが、従来同様、文字キー等の操作によって文字入力を行うようにしてもよい。
【００５６】
このようにして手書き入力処理が行われ、手書き入力画面１５に一覧表示された文字から該当する文字を記入した後、「認識」ボタンがタッチ操作されるか、あるいは、操作がなく所定時間経過すれば、前記文字入力欄にその文字を表示する（ステップＳ１７）。そして、検索対象となる文字が全て入力されて検索・決定キー４ｄが操作されると、対応する辞書データ２４を検索し（ステップＳ１８）、第１液晶パネル１に説明文を表示する（ステップＳ１９）。但し、辞書データ２４内に該当する文字列が存在しなければ、第１液晶パネル１に「該当なし」と表示する（ステップＳ２０）。このとき、第２液晶パネル５の表示を、手書き入力画面１５から移行先選択画面１６に切り替える（ステップＳ２１）。
【００５７】
さらに、第１液晶パネル１に説明文表示画面１１が表示され、第２液晶パネル５に移行先選択画面１６を表示した状態であれば（ステップＳ１１）、ユーザは移行先選択画面１６に表示した、「新しく調べる」、「他の辞書で調べる」、「リストを表示する」の各ボタン１９の中から希望するボタン１９を選択してタッチ操作すればよい。
【００５８】
図５に示すように、いずれのボタン１９が操作されたかに基づいて（ステップＳ２２）、以下の処理を実行する。
【００５９】
「新しく調べる」ボタンがタッチ操作されれば、第１液晶パネル１に表示されている辞書検索入力画面９の文字入力欄をクリアし（ステップＳ２３）、第２液晶パネル５の表示を手書き入力画面１５に切り替え、新たに文字入力可能な状態とする（ステップＳ２４）。
【００６０】
「他の辞書で調べる」ボタンがタッチ操作されれば、第１液晶パネル１の移行先選択画面１６内（下半分）に辞書選択画面１４ａを表示し（ステップＳ２５：図９（ａ）上段画面参照）、所望の辞書を選択可能とする。このとき、第２液晶パネル５では、「他の辞書で調べる」ボタンを反転表示させ、操作不能な状態とする（ステップＳ２６：図９（ａ）下段画面参照）。そして、表示した辞書選択画面１４で、所望の辞書が選択されれば（ステップＳ２７）、第１液晶パネル１の表示を辞書検索入力画面９に切り替える（ステップＳ２８）。このとき、文字入力欄に既に検索済みの文字列を自動表示させるようにしてもよい。これにより、入力の手間を省くことができ、操作性を向上させることが可能となる。
【００６１】
「リストを表示する」ボタンがタッチ操作されれば、第１液晶パネル１の表示を候補リスト画面１０に切り替え（ステップＳ２９：図９（ｂ）上段画面参照）、第２液晶パネル５の表示を辞書選択画面１４に切り替える（ステップＳ３０：図９（ｂ）下段画面参照）。見出し語の選択ミスである場合や、同じ文字列が含まれる他の用語を調べたい場合等には、候補リスト画面１０から所望の用語を選択し（ステップＳ３１）、第１液晶パネル１に説明文を表示させればよい（ステップＳ３２）。また、リストの中に該当するものがなければ、第２液晶パネル５から直ぐに他の辞書へと移行することができ（ステップＳ２１）、非常に便利である。
【００６２】
図６に示すように、第１液晶パネル１に候補リスト画面１０を表示し、第２液晶パネル５に辞書選択画面１４を表示した状態であれば、リストの中から該当する文字列（用語）を選択するか、所望の辞書を選択し直せばよい。リストから用語を選択した場合（ステップＳ３３）、第１液晶パネル１の表示を説明文表示画面１１に切り替え、該当する辞書データ２４から説明文を読み込んで表示する（ステップＳ３４）。このとき、第２液晶パネル５の表示は、前記同様、移行先選択画面１６に切り替える（ステップＳ３５）。また、辞書選択画面１４で辞書が選択されれば（ステップＳ３３）、第１液晶パネル１の表示を辞書検索入力画面９に切り替え（ステップＳ３６）、第２液晶パネル５の表示を手書き入力画面１５に切り替える（ステップＳ３７）。その後、前記同様にして文字を入力し、検索を行えばよい。
【００６３】
以上のようにして各処理を実行するが、いずれの画面が表示された状態であっても、電源スイッチ３がオフされれば、図７の割込処理を実行する。すなわち、電源スイッチ３のオフ操作に基づいて（ステップＳ３８）、その時点で第１液晶パネル１に表示された内容を終了時画面情報としてＲＡＭ２１に記憶させた後（ステップＳ３９）、電源をオフ状態とする（ステップＳ４０）。これにより、次に電源スイッチ３の操作により電源をオンした際、ＲＡＭ２１に記憶させた終了時画面情報を、第１液晶パネル１で表示させることが可能となる。また、辞書キー４ｅが操作された場合にも、割込処理を実行し、選択された辞書キー４ｅの種類に応じて第１液晶パネル１の表示を辞書検索入力画面９に切り替え、第２液晶パネル２の表示を手書き入力画面１５に切り替える。
【００６４】
なお、前記実施形態では、電子機器として電子辞書装置について説明したが、ＰＤＡ（Personal Digital Assistants）、携帯電話等の情報端末や、パソコン等の他の電子機器に採用することも可能である。
【００６５】
また、第２液晶パネル５の表示内容な前述のものに限らず、サイズを大きくして他のキー４（いずれであっても）を含めるようにすることも可能である。例えば、検索・決定キー４ｄを含めるようにすれば、手書き入力後、ペン等によるタッチ操作で検索をも実行することができるので、操作性をさらに高めることができる。
【００６６】
また、Ｍｙ辞書に登録した辞書名から上位５つを抽出して第２液晶パネル５に表示させるようにしたが、辞書データから抽出した上位５つ（例えば、特開２００５−３８２１３号公報に開示されるように、使用頻度の高いものから上位５つ）を表示させるようにしてもよい。
【００６７】
また、２つの表示画面に表示させる内容については、前述のような辞書データ等に限らず、その他種々のコンテンツデータを含むことができる。例えば、第１液晶パネル１に音楽のジャンル、アーティスト名、曲名等をツリー表示する。すなわち、ジャンル（例えば、クラシック）に対してアーティスト名（例えば、ベートーベン）について、曲名を一覧表示させる。そして、第２液晶パネル５には、例えば、ジャンルを選択するための一覧表を表示させる。そして、第２液晶パネル５で、他のジャンル（例えば、ロック）を選択することにより、第１液晶パネル１での表示内容を選択したジャンルに合わせた内容に変更すればよい。また、第１液晶パネル１での表示が曲名（例えば、運命）を選択された状態であれば、第２液晶パネル５の表示内容を、例えば、アーティスト名を選択可能なものとすればよい。この場合、表示するアーティスト名は、予めユーザが登録したお気に入りアーティスト名の昇順で、例えば、５名のみを表示させるようにすればよい。
【図面の簡単な説明】
【００６８】
【図１】本実施形態に係る電子機器の一例である電子辞書装置の開放状態を示す正面図である。
【図２】図１の電子辞書装置のブロック図である。
【図３】図１の電子辞書装置の動作を示すフローチャート図である。
【図４】図１の電子辞書装置の動作を示すフローチャート図である。
【図５】図１の電子辞書装置の動作を示すフローチャート図である。
【図６】図１の電子辞書装置の動作を示すフローチャート図である。
【図７】割込処理を示すフローチャート図である。
【図８】図１の電子辞書装置の各液晶パネルでの画面遷移を示す平面図である。
【図９】図１の電子辞書装置の各液晶パネルでの画面遷移を示す平面図である。
【符号の説明】
【００６９】
１…第１液晶パネル（第１表示手段）
２…蓋体
３…電源スイッチ（スイッチ手段）
４…キー
４ａ…ファンクションキー
４ｂ…文字キー
４ｃ…カーソルキー
４ｄ…検索・決定キー
４ｅ…辞書キー
４ｆ…メニューキー
５…第２液晶パネル（第２表示手段）
６…制御ユニット
７…本体
８…辞書メニュー画面
９…辞書検索入力画面
１０…候補リスト画面
１１…説明文表示画面
１２…表示操作部
１３…操作部
１４…辞書選択画面
１５…手書き入力画面
１６…移行先選択画面
１７…手書き入力欄
１８…入力モード表示部
１９…ボタン
２０…ＲＯＭ（第１記憶手段）
２１…ＲＡＭ（第２記憶手段）
２２…ＣＰＵ
２３…制御プログラム
２４…辞書データ
２５…レイアウトデータ
【図１】
2008117158.tif 000003
【図２】
2008117158.tif 000004
【図３】
2008117158.tif 000005
【図４】
2008117158.tif 000006
【図５】
2008117158.tif 000007
【図６】
2008117158.tif 000008
【図７】
2008117158.tif 000009
【図８】
2008117158.tif 000010
【図９】
2008117158.tif 000011